(57)【要約】      （修正有）【課題】安全で均一に、更には食べられる部分を無駄にカットすることなくむくことができる野菜用皮むき器を提供する。【解決手段】基材２表面には動物性研磨材３を接着含有した層５と基材２裏面にはスポンジ材４を接着して形成されているため、野菜の形状に沿って均一で安全に皮をむくことが出来、しかも食べれる部分を無駄にカットすることのない優れた野菜用皮むき器となる。更には動物性研磨材であるホタテ貝のような大量に出る廃棄物を原料としているため、資源のリサイクルにもなり、むいた皮を水洗いすることにより研磨材が役に立たなくなるまで複数回使用出来、植物性研磨材より確実に力が少なくて皮をむくことが出来るエコロジーに優れた野菜用皮むき器１となる。【選択図】図１
0003147264.tif 000002
【実用新案登録請求の範囲】
【請求項１】
基材（２）表面には動物性研磨材（３）を接着含有した層（５）と基材（２）裏面にはスポンジ材（４）を接着して形成されたことを特徴とする野菜用皮むき器（１）。
【請求項２】
動物性研磨材（３）が貝殻の粉砕粒子であることを特徴とする請求項１に記載の野菜用皮むき器（１）。
【請求項３】
貝殻の粉砕粒子がホタテ貝であることを特徴とする請求項１に記載の野菜用皮むき器（１）。
【請求項４】
貝殻の粉砕粒子の大きさが８０ミクロンから２３０ミクロンであることを特徴とする請求項１に記載の野菜用皮むき器（１）。
【請求項５】
スポンジ材（４）がウレタンスポンジであることを特徴とする請求項１に記載の野菜用皮むき器（１）。
【考案の詳細な説明】
【技術分野】
【０００１】  本考案は、ジャガイモ、サトイモ、ヤマイモ、ニンジン、ゴボウ、大根などの野菜用皮むき器に関する。
【背景技術】
【０００２】  従来、野菜の皮むきには、包丁やピラーなどが用いられている。
又、実用新案登録３０７５０７５号のように基材に研磨材を接着させ、該研磨材を野菜表面にこすりつけて皮をむくものが知られている。これは粉砕した桃の種に代表される天然植物性研磨材が用いられているものである。
【考案の開示】
【考案が解決しようとする課題】
【０００３】  しかしながら、包丁の場合は野菜の形により扱いにくく使い慣れていないと非常に危険であった。又、均一に皮をむくことは難しく野菜の食べれる部分まで無駄にカットしてしまうことが多かった。
又、ピラーにおいても野菜表面の凸凹によっては包丁の場合と同様に野菜の食べれる部分を無駄に削り取ってしまうことがあり、更に手早くむけるため、勢い余ってピラーの刃で野菜を保持している側の指先を切って怪我をすることがあった。
一方実用新案登録３０７５０７５号のように基材に研磨材を接着させているものは例えば粉砕した桃の種に代表されるように天然植物性原料を研磨材としているため、野菜の皮をむくのにかなりの力が必要となっていた。
【課題を解決するための手段】
【０００４】  上記課題を解決するために本考案は、基材（２）表面には動物性研磨材（３）を接着含有した層（５）と基材（２）裏面にはスポンジ材（４）を接着して形成しておく。
本考案は以上のような構成からなる野菜用皮むき器（１）である。
【考案の効果】
【０００５】  本考案の野菜用皮むき器は以上のような構成であるため、野菜の皮むきを包丁やピラーを用いず、安全で均一に、更には食べれる部分を無駄にカットすることなくむくことが出来る。
又、動物性研磨材であるホタテ貝のような大量に出る廃棄物を原料としているため、資源のリサイクルやエコロジーに優れたものとなる。
更にはむいた皮を水洗いすることにより研磨材が役に立たなくなるまで、水洗いをすれば研磨材が無くなるまで複数回使用出来、植物性研磨材より確実に力が少なくて皮をむくことが出来る優れたものである。
【考案を実施するための最良の形態】
【０００６】  本考案における野菜用皮むき器の大きさ、デザイン、厚み、材質、製造方法などは特に限定されることはないが、台所での作業に適するような手のひらサイズに収まるものが好ましい。
基材は耐水性処理布としているものがその用途から適している。
まず該基材表面に一次接着剤を塗布する。該一次接着剤にホタテ貝の粉砕粒子からなる動物性研磨材を静電塗装する。次にこの基材を乾燥炉で仮乾燥した後、静電塗装された動物性研磨材の表面に更に二次接着剤を塗布して乾燥処理し、接着含有した層を形成する。
一方、基材の裏面には、水透過性機能を有するウレタンスポンジが接着される。
本考案で言う貝殻とは貝類の外面に分泌する硬組織のことで、代表的な生体鉱物のことを言う。基本的には炭酸カルシウムの結晶とタンパク質を主とする物質の複合体からなる殻本体と、キチン質の殻皮とからなるものを言う。
これら貝殻は軟体動物の総称であり、はっきりとした貝殻を持つもので、特にホタテ貝、牡蠣、アサリなどの二枚貝、サザエのような巻貝などが挙げられるが、その中でも二枚貝のホタテ貝の粉砕粒子が好ましい。
なお、貝殻の粉砕粒子の大きさは８０ミクロンから２３０ミクロンのものが、野菜の皮むき用研磨材として適していることが実験より得られた。
もちろんこの粒子の大きさは、野菜の皮の硬さや厚みに合わせてサンドペーパーの番手のように細目、粗目と作り変えて製造しても良い。
基材裏面には、プラスチックを発泡成形して作られる合成スポンジが接着され、特にウレタンスポンジが易加工性、接着性、水透過性、耐水性などの面から適している。
【実施例】
【０００７】  以下、本考案の一実施例を、図１及び図２で説明するがこれによって本考案はなんら限定されるものではない。【０００８】  図１は本考案の一例の斜視図である。
野菜用皮むき器（１）において、基材（２）表面にホタテ貝の貝殻粉砕粒子からなる動物性研磨材（３）を接着含有した層（５）を設けておく。
一方の基材（２）裏面には、スポンジ材（４）としてウレタンスポンジが接着されている。また野菜用皮むき器（１）の外形は、使用者の手の握りやすい一例として楕円形状にカットされている。
図２は本考案の一例の断面図である。【０００９】  なお、野菜の皮むきには水洗いしながら接着含有した層（５）側を野菜に押し当ててむくのであるが、手で保持している野菜の形状に沿って野菜用皮むき器（１）自体が変形するので均一に皮をむくことが出来る。
【産業上の利用の可能性】
【００１０】  野菜の形状に沿って均一に安全に皮をむくことが出来、更に食べれる部分を無駄にカットすることのない優れた野菜用皮むき器である。
更には動物性研磨材であるホタテ貝のような大量に出る廃棄物を原料としているため、資源のリサイクルにもなり、むいた皮を水洗いすることにより研磨材が役に立たなくなるまで複数回使用出来、植物性研磨材より確実に力が少なくて皮をむくことが出来るエコロジーに優れたものとなる。
【図面の簡単な説明】
【００１１】
【図１】  本考案の一例を示す斜視図である。
【図２】  本考案の一例を示す断面図である。
【符号の説明】
１  野菜用皮むき器    ２  基材    ３  動物性研磨材    ４  スポンジ材    ５  接着含有した層
【図１】
0003147264.tif 000003
【図２】
0003147264.tif 000004
【手続補正書】
【提出日】平成20年9月17日(2008.9.17)
【手続補正１】
【補正対象書類名】実用新案登録請求の範囲
【補正対象項目名】全文
【補正方法】変更
【補正の内容】
【実用新案登録請求の範囲】
【請求項１】
基材（２）表面には動物性研磨材（３）を接着含有した層（５）と基材（２）裏面にはスポンジ材（４）を接着して形成されたことを特徴とする野菜用皮むき器（１）。
【請求項２】
動物性研磨材（３）が貝殻の粉砕粒子であることを特徴とする請求項１に記載の野菜用皮むき器（１）。
【請求項３】
貝殻がホタテ貝であることを特徴とする請求項２に記載の野菜用皮むき器（１）。
【請求項４】
貝殻の粉砕粒子の大きさが８０ミクロンから２３０ミクロンであることを特徴とする請求項２に記載の野菜用皮むき器（１）。
【請求項５】
スポンジ材（４）がウレタンスポンジであることを特徴とする請求項１に記載の野菜用皮むき器（１）。